(57)【要約】【課題】５本指ソックスによって靴中の親指部と中敷のズレを防止して制動力（踏ん張り感）を得ると共に、無端弾性帯によって推進力、瞬発力などの運動機能をアップし、さらにファッショナブルな５本指スポーツソックスの提供を図る。【解決手段】爪先部が開放された５本指ソックスと親指部と第二指部の指股部に設けられる緩衝材と親指部から足首部にかけて８の字状に交差して掛架する無端弾性帯とで構成される手段を採る。【選択図】図１
2009275340.tif 000002
【特許請求の範囲】
【請求項１】
爪先部が開放された５本指ソックスと、親指部と第二指部の指股部に設けられる緩衝材と、親指部から足首部にかけて８の字状に交差して掛架する無端弾性帯と、で構成されることを特徴とする５本指スポーツソックス。
【請求項２】
前記無端弾性帯を前記５本指ソックスの親指部から足首部にかけて８の字状に交差して縫着したことを特徴とする請求項１の５本指スポーツソックス。
【請求項３】
前記緩衝材を前記５本指ソックスの親指部と第二指部の指股部に縫着したことを特徴とする請求項１ならびに請求項２記載の５本指スポーツソックス。
【請求項４】
親指部が上方に引き上げられるように親指部と足首部が連なる弾性体を前記５本指ソックスに縫着したことを特徴とする請求項１の５本指スポーツソックス。
【請求項５】
前記５本指ソックスの土不踏部に通気穴を設けたことを特徴とする請求項１から請求項４記載の５本指スポーツソックス。
【発明の詳細な説明】
【技術分野】
【０００１】
本発明は、運動機能をアップする５本指スポーツソックスに関する。
【背景技術】
【０００２】
従来より、足底部にラバーや突起を設けて靴中でのスベリを防止したものや、足への衝撃を緩和する緩衝材を用いたものや、繊維の編み方や素材によって締め付け効果を生み出したものや、靴中の蒸れを防止したものなどのスポーツ用ソックスが提供されている。
【０００３】
例えば、靴中でのスベリを防止し、足の制動力または推進力を効果的に伝達する「ソックス」（特許文献１参照）が提案されているが、該提案は、足底部に設けられる滑り止め防止用のラバーや突起が設けられていることによって素足の踏ん張り感が薄れ、微妙に靴中の中敷と足裏の指先の間で滑りが生じるため、運動時において制動力、推進力、瞬発力を充分に発揮することができにくいものであった。事実、陸上競技の短距離走用シューズにおいては、制動力、推進力、瞬発力を感覚的に得るため、素足で使用される超軽量シューズが開発されている。
【０００４】
しかしながら、短距離走の様に短時間で競技が終了する種目は別として、多くのスポーツ競技は一定の競技時間を要するため、靴擦れ防止、滑り防止、蒸れ防止対策が要求される一方、履き心地感の追求や緩衝材、吸汗材としての役割を果たすスポーツソックスの着用を必要とし、同時に制動力、推進力、瞬発力を得るための機能も要求されるもので、現在ではむしろスポーツソックスよりもスポーツシューズにおける高機能化の開発・研究が進んでいる。
【０００５】
また、ソックス繊維の編み方によってテーピング効果やホールド感を得る「スポーツソックス」（特許文献２参照）が提案されているが、該提案は、単に繊維の編み方による締め付け効果を得る提案であって、制動力、推進力、瞬発力が効果的に得られる提案ではなかった。
【０００６】
一方、従来から使用されている一般的な５本指ソックスにおいては、着用時の見栄えを良くしたものや、水虫の防止や医療用としてや、履き易さを追求したもの、外反母趾用のもの、吸汗性を追求したもの、地下足袋を使用する作業用靴下として従来より広く提供されている。
【０００７】
例えば、爪先の先端を開口してトウカバーを設け、靴を脱いだ時の見栄えを良くした「５本指ソックス」（特許文献３参照）が提案されているが、本発明が目的とする５本指のスポーツ用ソックスとは使用目的が大きく異なるもので、本出願人が知るところによる５本指仕様のスポーツ用ソックスとするものは未だ見当たらない。
【０００８】
他方、輪ゴムを足首に通した後、８の字にひねった状態で親指に引っ掛けることによっ
て走りが速くなる手法がテレビ放映番組の実験でも実証されており、第２日本テレビのホームページサイト（非特許文献４参照）おいても紹介されているが、輪ゴムを親指部のつけ根と第二指部のつけ根の指股部に通して、足甲の上で８の字に交差させ踵部から足首部にかけて掛け渡して装着した場合、親指部のつけ根と第二指部のつけ根の指股部に輪ゴムが食い込んでしまうため相当な装着痛を伴うものであり、長時間における輪ゴムの着用は耐え難いものがあった。
【先行技術文献】
【特許文献】
【０００９】
【特許文献１】登録実用新案第３１１９４６４号公報
【特許文献２】特許公開平−４６４０４号公報
【特許文献３】特許公開２００７−３１９０３号公報
【非特許文献４】http://www.dai2ntv.jp/player/index.html-item-id=NtvI00017080
【発明の概要】
【発明が解決しようとする課題】
【００１０】
本発明は、上記の問題点を鑑み、５本指ソックスによって靴中の親指部と中敷のズレを防止して制動力（踏ん張り感）を得ると共に、無端弾性帯によって推進力、瞬発力などの運動機能をアップし、さらにファッショナブルな５本指スポーツソックの提供を図ることを目的とする。
【課題を解決するための手段】
【００１１】
本発明は、爪先部が開放された５本指ソックスと、親指部と第二指部の指股部に設けられる緩衝材と、親指部から足首部にかけて８の字状に交差して掛架する無端弾性帯とで構成される手段を採るものである。
【００１２】
また、無端弾性帯を５本指ソックスの親指部から足首部にかけて８の字状に交差して縫着した手段を採るものである。
【００１３】
また、緩衝材を５本指ソックスの親指部と第二指部の指股部に縫着した手段を採るものである。
【００１４】
また、親指部が上方に引き上げられるように親指部と足首部が連なる弾性体を前記５本指ソックスに縫着した手段を採るものである。
【００１５】
また、５本指ソックスの土不踏部に通気穴を設けた手段を採るものである。
【発明の効果】
【００１６】
本発明は、５本指の爪先部が開放されていることによって足親指の腹部と靴中の中敷が直接接触するために、接触面（グランドやコート）との踏ん張り感が直接素足に感じることができるため、常に高いポテンシャルで競技に集中することができることから、頭に描いた運動イメージを直感的に初期動作に移すことができるものであり、また従来のソックスの生地やラバーや突起によって発生する靴内の微妙な滑りを解消することができる優れた効果が得られるものである。
【００１７】
また、無端弾性帯を親指部から足首部にかけて８の字状に交差して掛架することによって、親指が常に上方に引っ張られて土不踏部の筋肉が大きく伸びた状態になることから力を入れて蹴った時、筋肉が伸びた状態より大きな反動で縮もうとするため推進力、瞬発力が生まれて運動機能がアップする優れた効果が得られるものである。
【００１８】
また、無端弾性帯を親指部から足首部にかけて８の字状に交差して掛架することによって、親指部と第二指部の指股部に局部的に応力が集中する箇所に緩衝材を設けることにより、装着痛と長期装着を可能とする優れた効果が得られるものである。
【００１９】
また、緩衝材と無端弾性帯を５本指ソックスに縫着することにより、５本指スポーツソックスを単に履くことによって瞬時に誰でもが容易に運動機能をアップする手段が得られる優れた効果が得られるものである。
【００２０】
また、５本指ソックスの土不踏部に通気穴を設けた構造を採ることにより、靴中の通気性が確保できるため水虫や汗臭の発生を抑制できるものである。また、ソックスの軽量化も同時に図れる優れた効果が得られるものである。
【００２１】
また、５本指の第一関節まで被服されたソックスを着用することによって５本指の指股部の蒸れやこすれによる皮膚の剥がれを防止することできると共に吸汗性を向上させることができるもので、多くのスポーツ選手が悩む水虫や汗臭の発生を抑制できるものである。また、女性においては、爪先部が露出することによって競技中であってもペニキュアやネイルアートが楽しめるものであり、さらに５本指の部分にカラフルな色彩デザインを施すことにより従来の「ダサイ」イメージが強かった５本指ソックスに替わる新たなファッションソックスの提供ができる優れた効果が得られるものである。
【００２２】
以上のように、本発明における５本指スポーツソックスは、従来のスポーツソックスならびに５本指ソックスと比較して多くの優れた効果を持つものである。
【図面の簡単な説明】
【００２３】
【図１】図１は、本発明における５本指スポーツソックスの全体構成を示す説明図である。（実施例１）
【図２】図２は、本発明における５本指スポーツソックスの使用状態を示す説明図である。（実施例２）
【図３】図３は、本発明における５本指スポーツソックスの使用状態の足裏部を示す説明図である。（実施例３）
【図４】図４は、本発明における５本指スポーツソックスの別の実施形態を示す説明図である。（実施例４）
【図５】図５は、本発明における５本指スポーツソックスの着用状態を示す説明図である。（実施例５）
【図６】図６は、本発明における５本指スポーツソックスの着用状態を示す説明図である。（実施例６）
【図７】図７は、本発明における５本指スポーツソックスの別の実施形態を示す説明図である。（実施例７）
【発明を実施するための形態】
【００２４】
本発明は、５本指ソックスによって靴中の親指部と中敷のズレを防止して制動力を得ると共に、無端弾性帯によって推進力、瞬発力などの運動機能をアップし、さらにファッショナブルな５本指スポーツソックスを提供することを最大の特徴とするもので、以下、本発明による実施例を図面を基に説明する。
【実施例１】
【００２５】
図１は、本発明における５本指スポーツソックスの全体構成を示す説明図である。
５本指スポーツソックス１０は、爪先部２８が開放された５本指ソックス２０と、親指部２２と第二指部２４の指股部２３に設けられる緩衝材３０と、親指部２２から足首部２７にかけて８の字状に交差して掛架する無端弾性帯４０とで構成される。
【００２６】
５本指ソックス２０は、５本指の爪先部２８が全て開放され、５本指の指袋が第一関節まで被服されたソックスで、爪先部２８と土不踏部２５と踵部２６から足首部２７にかけて伸縮性の高い弾性糸で編まれて締め付け機能を有し、生地自体は、ゴム糸、ポリウレタン糸、ナイロン糸、綿糸等で各部を編み込んだものである。
【００２７】
緩衝材３０は、親指部２２と第二指部２４の指股部２３から親指部２２の付け根の下側を覆うように設けられる弾性を有するクッション材であって、天然ゴムや軟質合成樹脂材で形成され、無端弾性帯４０が親指部２２のつけ根と第二指部２４のつけ根の指股部２３に掛けられた場合に指股部２３に引っ張り応力が集中することに伴う装着痛を和らげる役割を果たすものである。尚、緩衝材３０は、親指部２２と第二指部２４の指股部２３から親指部２２の付け根の下側を覆うように設けられる形状を有していれば、特に外観や材質、寸法に関し限定するものではない。
【００２８】
無端弾性帯４０は、弾性を有する平板状の天然ゴムや伸縮性の高い弾性糸ならびに合成樹脂ゴム等で形成される無端の弾性体であって、親指部２２から足首部２７にわたって８の字状に足の甲の上で交差して掛けられ、常に親指を上方に引っ張る方向で装着されるものである。寸法幅は略１ｃｍ、厚みは略１ｍｍ、長さは使用するソックスサイズに準じて各種用意されるものである。特に形状が平板状であることは、無端弾性帯４０の上から運動シューズＳを履く上で違和感がないような形状とするためで、図示では平板状のゴム帯としているが、足の形状に合わせた立体的な形状とすることもできる。
【実施例２】
【００２９】
図２は、本発明における５本指スポーツソックスの使用状態を示す説明図である。
着用順序を順を追って説明すると
（１）５本指ソックス２０を両足に履く。（以下両足の動作を示す）
（２）緩衝材３０を親指部２２のつけ根と第二指部２４のつけ根の指股部２３に５本指ソックス２０上から当てがう様に挟み込む。
（３）無端弾性帯４０を親指部２２のつけ根と第二指部２４のつけ根の指股部２３に通して、足甲の上で交差させ踵部２６から足首部２７にかけて掛け渡す。
（４）全体の張力ならびに締め付けバランスを調節する。
（５）運動シューズＳを履く。
（６）運動シューズＳの紐を締める。
以上のようにして装着された５本指スポーツソックス１０を着用することによって従来
のスポーツソックスと比較して制動力、推進力、瞬発力などの運動機能をアップするこ
とができるものである。
【実施例３】
【００３０】
図３は、本発明における５本指スポーツソックスの使用状態の足裏部を示す説明図で
ある。
通風穴２１は、靴内とソックス内の通風を図るもので土不踏部２５内に任意の形状と有して設けられる。本図では、土不踏部２５が伸縮性の高い弾性糸で編まれて締め付け力を施した仕様のソックスであるため、その部分を回避して両側に２箇所設けた構造を有する。
【実施例４】
【００３１】
図４は、本発明における５本指スポーツソックスの別の実施形態を示す説明図である。
前述の緩衝材３０と無端弾性帯４０とを５本指ソックス２０の親指部２２のつけ根と第二指部２４のつけ根の指股部２３に縫着したもので、５本指スポーツソックス１０を単純に履くことによって誰でもが容易に運動機能をアップする手段が得られる構造を有する。
【実施例５】
【００３２】
図５は、本発明における５本指スポーツソックスの着用状態を示す説明図である。
図で示すように、無端弾性帯４０を親指部２２から足首部２７の一部にかけて８の字状に交差して掛架することによって、親指が常に上方に引っ張られて土不踏部２５の筋肉が大きく伸びた状態で着用される構造を有する。
【実施例６】
【００３３】
図６は、本発明における５本指スポーツソックスの着用状態を示す説明図である。
図で示すように、運動時に爪先立った時、土不踏部２５の筋肉が伸びた状態より大きな反動で縮もうとするため運動する方向への推進力ならびに瞬発力が生まれて運動機能がアップする構造を有する。
【実施例７】
【００３４】
図７は、本発明における５本指スポーツソックスの別の実施形態を示す説明図である。
弾性体５０は、親指部が上方に引き上げられるように親指部と足首部が連なるように形成して５本指ソックスに縫着したもので、基本的には、親指部が弾性体によって上方に引き上げられるようになっていれば良く、特に形状、寸法、材質、弾性力等を限定するものではない。
【産業上の利用可能性】
【００３５】
本発明の５本指スポーツソックスは、スポーツ競技の種目を問わず全ての競技に使用することができるもので、その他ロッククライミングや登山などのアウトドアスポーツなどに使うことができるものであり、また爪先が露出されることによってスポーツ競技を行う上でもペニキュアやネイルアートが楽しむことができると同時に、カラフルな色彩デザインを施したファッショナブルな５本指ソックスとしても提供できるものでもあり、その利用分野は極めて広いものと解する。
【符号の説明】
【００３６】
１０    ５本指スポーツソックス
２０    ５本指ソックス
２１    通風穴
２２    親指部
２３    指股部
２４    第二指部
２５    土不踏部
２６    踵部
２７    足首部
２８    爪先部
３０    緩衝材
４０    無端弾性帯
５０    弾性体
Ｓ    運動シューズ
Ｎ    中敷
【図１】
2009275340.tif 000003
【図２】
2009275340.tif 000004
【図３】
2009275340.tif 000005
【図４】
2009275340.tif 000006
【図５】
2009275340.tif 000007
【図６】
2009275340.tif 000008
【図７】
2009275340.tif 000009